【手続補正書】
【提出日】平成16年3月16日(2004.3.16)
【手続補正１】
【補正対象書類名】明細書
【補正対象項目名】特許請求の範囲
【補正方法】変更
【補正の内容】
【特許請求の範囲】
【請求項１】
信号を入力する入力端子、信号を出力する出力端子、圧電基板、及び前記圧電基板上に形成された複数のインターディジタルトランスデューサ電極であるＩＤＴ電極を有する弾性表面波フィルタと、
位相回路とを備え、
前記入力端子及び前記出力端子の少なくともいずれかが平衡型入力端子または
平衡型出力端子であり、
前記少なくとも一つのＩＤＴ電極は前記平衡型入力端子または前記平衡型出力端子に電気的に接続されており、
前記平衡型入力端子間または前記平衡型出力端子間に前記位相回路が電気的に接続されており、
前記位相回路は、前記信号の同相信号成分を低減する平衡型高周波デバイス。
【請求項２】
前記弾性表面波フィルタは、少なくとも第１、第２、第３のＩＤＴ電極を弾性表面波の伝搬方向に沿って配置した縦モード型の弾性表面波フィルタであり、
前記第１のＩＤＴ電極の両側に前記第２、第３のＩＤＴ電極が配置され、
前記第１のＩＤＴ電極は平衡型であって、前記第１のＩＤＴ電極を構成する一方、および他方の電極指は、それぞれ前記平衡型入力端子にまたはそれぞれ前記平衡型出力端子に接続されている請求項１に記載の平衡型高周波デバイス。
【請求項３】
前記弾性表面波フィルタが、少なくとも第１、第２、第３のＩＤＴ電極を弾性表面波の伝搬方向に沿って配置した縦モード型の弾性表面波フィルタであり、
前記第１のＩＤＴ電極の両側に前記第２、第３のＩＤＴ電極が配置され、
前記第１のＩＤＴ電極は、複数の分割ＩＤＴ電極により構成され、
前記分割ＩＤＴ電極の少なくとも２つは、それぞれ前記平衡型入力端子にまたはそれぞれ前記平衡型出力端子に接続されている請求項１に記載の平衡型高周波デバイス。
【請求項４】
前記弾性表面波フィルタが、少なくとも第１、第２、第３のＩＤＴ電極を弾性表面波の伝搬方向に沿って配置した縦モード型の弾性表面波フィルタであり、
前記第１のＩＤＴ電極の両側に前記第２、第３のＩＤＴ電極が配置され、
前記第２のＩＤＴ電極は前記平衡型入力端子の一方または前記平衡型出力端子の一方に接続されており、
前記第３のＩＤＴ電極は平衡型入力端子の他方または平衡型出力端子の他方に接続されている請求項１に記載の平衡型高周波デバイス。
【請求項５】
前記位相回路は所定の周波数において共振する共振回路である請求項１〜４のいずれかに記載の平衡型高周波デバイス。
【請求項６】
前記共振回路は、前記信号の同相信号成分に対して接地面に対して直列共振する直列共振回路である請求項５に記載の平衡型高周波デバイス。
【請求項７】
前記共振回路は、前記信号の差動信号成分に対して接地面に対して並列共振する並列共振回路である請求項５に記載の平衡型高周波デバイス。
【請求項８】
前記位相回路は、前記信号の差動信号成分に対する整合回路を含む請求項５〜７のいずれかに記載の平衡型高周波デバイス。
【請求項９】
前記位相回路は、伝送線路により構成されている請求項５〜８のいずれかに記載の平衡型高周波デバイス。
【請求項１０】
前記伝送線路の線路長は、λを波長、ｎを整数とした時に、（λ／４＋ｎλ）以上、（３λ／４＋ｎλ）以下である請求項９に記載の平衡型高周波デバイス。
【請求項１１】
前記伝送線路の線路長は、λを波長、ｎを整数とした時に、（３λ／８＋ｎλ）以上、（５λ／８＋ｎλ）以下である請求項１０に記載の平衡型高周波デバイス。
【請求項１２】
前記伝送線路の線路長は、実質上λ／２である請求項１１に記載の平衡型高周波デバイス。
【請求項１３】
前記位相回路は、前記信号の同相信号成分に関しては、実質上、先端開放λ／４線路の直列共振回路として動作し、前記信号の差動信号成分に関しては、実質上、先端終端λ／４線路の並列共振回路として動作すること特徴とする請求項１２に記載の平衡型高周波デバイス。
【請求項１４】
前記位相回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されている請求項５〜７のいずれかに記載の平衡型高周波デバイス。
【請求項１５】
前記平衡型入力端子の一方または前記平衡型出力端子の一方と接地面との間に第１のインピーダンス素子が接続されており、
前記平衡型入力端子の他方または前記平衡型出力端子の他方と接地面との間に第２のインピーダンス素子が接続されており、
前記平衡型入力端子間または前記平衡型出力端子間に第３のインピーダンス素子が接続されており、
前記第１、第２のインピーダンス素子のインピーダンスの虚数部と前記第３のインピーダンス素子のインピーダンスの虚数部との極性が異なる請求項１４に記載の平衡型高周波デバイス。
【請求項１６】
前記信号の差動信号成分に関しては、前記第１のインピーダンス素子及び前記第３のインピーダンス素子と、前記第２のインピーダンス素子及び前記第３のインピーダンス素子とは、それぞれ所定の周波数において接地面に対して並列共振回路を形成することを特徴とする請求項１５に記載の平衡型高周波デバイス。
【請求項１７】
前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下である請求項１５記載の平衡型高周波デバイス。
【請求項１８】
前記信号の同相信号成分の接地面に対するインピーダンスが、前記入力端子あるいは前記出力端子の特性インピーダンスの０．５倍以下である請求項１７に記載の平衡型高周波デバイス。
【請求項１９】
平衡型入力端子間または平衡型出力端子間に第１のインピーダンス素子と第２のインピーダンス素子とが直列に接続されており、
前記第１のインピーダンス素子と前記第２のインピーダンス素子との間は、第３のインピーダンス素子を介して接地される構成であって、
前記第１、第２のインピーダンス素子のインピーダンスの虚数部と前記第３のインピーダンス素子のインピーダンスの虚数部との極性が異なる請求項１４に記載の平衡型高周波デバイス。
【請求項２０】
前記信号の同相信号成分に関しては、前記第１のインピーダンス素子及び前記第３のインピーダンス素子と、前記第２のインピーダンス素子及び前記第３のインピーダンス素子とは、それぞれ所定の周波数において接地面に対して直列共振回路を形成する請求項１９に記載の平衡型高周波デバイス。
【請求項２１】
前記位相回路の少なくとも一部が、電極パターンを複数の誘電体層上に形成して前記誘電体層を積層することにより形成される積層デバイスに含まれる構成である請求項１〜４のいずれかに記載の平衡型高周波デバイス。
【請求項２２】
前記積層デバイスは少なくとも一つの回路機能を有し、前記平衡型高周波デバイスと前記積層デバイスとが複合化されている請求項２１に記載の平衡型高周波デバイス。
【請求項２３】
送信フィルタおよび／または受信フィルタに請求項１〜７のいずれかに記載の平衡型高周波デバイスを用いた平衡型高周波回路。
【請求項２４】
前記回路基板に設けられた平衡型伝送線路間に請求項１〜７のいずれかに記載の位相回路が接続されている平衡型高周波回路。
【請求項２５】
信号を入力する入力端子と、信号を出力する出力端子とを有する平衡型素子と、
位相回路とを備え、
前記入力端子及び前記出力端子の少なくともいずれかが平衡型入力端子または
平衡型出力端子であり、
前記平衡型入力端子間または前記平衡型出力端子間に前記位相回路が電気的に
接続されており、
前記位相回路は、前記信号の同相信号成分に対して所定の周波数に対して接地面に対して直列共振する直列共振回路、あるいは、前記信号の差動信号成分に対して所定の周波数に対して接地面に対して並列共振する並列共振回路であり、前記直列共振回路または前記並列共振回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されており、前記平衡型入力端子の一方または前記平衡型出力端子の一方と接地面との間に第１のインピーダンス素子が接続されており、前記平衡型入力端子の他方または前記平衡型出力端子の他方と接地面との間に第２のインピーダンス素子が接続されており、前記平衡型入力端子間または前記平衡型出力端子間に第３のインピーダンス素子が接続されており、前記第１、第２のインピーダンス素子のインピーダンスの虚数部と前記第３のインピーダンス素子のインピーダンスの虚数部との極性が異なり、前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下であり、前記信号の同相成分を低減する平衡型高周波デバイス。
【請求項２６】
前記信号の同相信号成分の接地面に対するインピーダンスが、前記入力端子あるいは前記出力端子の特性インピーダンスの０．５倍以下である請求項２５記載の平衡型高周波デバイス。
【請求項２７】
信号を入力する入力端子と、信号を出力する出力端子と、
位相回路とを備え、
前記入力端子及び前記出力端子の少なくともいずれかが平衡型入力端子または
平衡型出力端子であり、
前記位相回路は平衡型素子の前記平衡型入力端子間または前記平衡型出力端子間に電気的に接続され、
前記位相回路は、前記信号の同相信号成分に対して所定の周波数に対して接地面に対して直列共振する直列共振回路、あるいは、前記信号の差動信号成分に対して所定の周波数に対して接地面に対して並列共振する並列共振回路であり、前記直列共振回路または前記並列共振回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されており、前記平衡型入力端子の一方または前記平衡型出力端子の一方と接地面との間に第１のインピーダンス素子が接続されており、前記平衡型入力端子の他方または前記平衡型出力端子の他方と接地面との間に第２のインピーダンス素子が接続されており、前記平衡型入力端子間または前記平衡型出力端子間に第３のインピーダンス素子が接続されており、前記第１、第２のインピーダンス素子のインピーダンスの虚数部と前記第３のインピーダンス素子のインピーダンスの虚数部との極性が異なり、前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下である位相回路。
【請求項２８】
前記信号の同相信号成分の接地面に対するインピーダンスが、前記入力端子あるいは前記出力端子の特性インピーダンスの０．５倍以下である請求項２７記載の位相回路。
【請求項２９】
送信フィルタまたは受信フィルタの少なくとも一つと、
スイッチまたは増幅器または共用器と、
位相回路とを備え、
前記送信フィルタまたは受信フィルタの入出力端子の少なくとも一方は平衡型端子であり、
前記送信フィルタまたは前記受信フィルタと、前記スイッチまたは前記増幅器または前記共用器は電気的に接続されており、前記平衡型端子間に前記位相回路が電気的に接続され、
前記位相回路は、送信信号または受信信号の同相信号成分を抑える高周波回路。
【請求項３０】
前記送信フィルタあるいは前記受信フィルタが、平衡不平衡変換機能を有している請求項２９記載の高周波回路。
【請求項３１】
前記位相回路は所定の周波数において共振する共振回路である請求項２９または３０記載の高周波回路。
【請求項３２】
前記共振回路は、前記信号の同相信号成分に対して接地面に対して直列共振する直列共振回路である請求項３１記載の高周波回路。
【請求項３３】
前記共振回路は、前記信号の差動信号成分に対して接地面に対して並列共振する並列共振回路である請求項３１に記載の高周波回路。
【請求項３４】
前記位相回路は、前記信号の差動信号成分に対する整合回路を含む請求項３１〜３３のいずれかに記載の高周波回路。
【請求項３５】
前記位相回路は、伝送線路により構成されている請求項３１〜３３のいずれかに記載の高周波回路。
【請求項３６】
前記伝送線路の線路長は、λを波長、ｎを整数とした時に、（λ／４＋ｎλ）以上、（３λ／４＋ｎλ）以下である請求項３５に記載の高周波回路。
【請求項３７】
前記伝送線路の線路長は、λを波長、ｎを整数とした時に、（３λ／８＋ｎλ）以上、（５λ／８＋ｎλ）以下である請求項３６に記載の高周波回路。
【請求項３８】
前記伝送線路の線路長は、実質上λ／２である請求項３７に記載の高周波回路。
【請求項３９】
前記位相回路は、前記信号の同相信号成分に関しては、実質上、先端開放λ／４線路の直列共振回路として動作し、前記信号の差動信号成分に関しては、実質上、先端終端λ／４線路の並列共振回路として動作すること特徴とする請求項３８に記載の高周波回路。
【請求項４０】
前記位相回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されている請求項３１〜３３のいずれかに記載の高周波回路。
【請求項４１】
前記平衡型入力端子の一方または前記平衡型出力端子の一方と接地面との間に第１のインピーダンス素子が接続されており、
前記平衡型入力端子の他方または前記平衡型出力端子の他方と接地面との間に第２のインピーダンス素子が接続されており、
前記平衡型入力端子間または前記平衡型出力端子間に第３のインピーダンス素子が接続されており、
前記第１、第２のインピーダンス素子のインピーダンスの虚数部と前記第３のインピーダンス素子のインピーダンスの虚数部との極性が異なる請求項４０に記載の高周波回路。
【請求項４２】
前記信号の差動信号成分に関しては、前記第１のインピーダンス素子及び前記第３のインピーダンス素子と、前記第２のインピーダンス素子及び前記第３のインピーダンス素子とは、それぞれ所定の周波数において接地面に対して並列共振回路を形成することを特徴とする請求項４１に記載の高周波回路。
【請求項４３】
前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下である請求項４１記載の高周波回路。
【請求項４４】
前記信号の同相信号成分の接地面に対するインピーダンスが、前記入力端子あるいは前記出力端子の特性インピーダンスの０．５倍以下である請求項４３に記載の高周波回路。
【請求項４５】
平衡型入力端子間または平衡型出力端子間に第１のインピーダンス素子と第２のインピーダンス素子とが直列に接続されており、
前記第１のインピーダンス素子と前記第２のインピーダンス素子との間は、第３のインピーダンス素子を介して接地される構成であって、
前記第１、第２のインピーダンス素子のインピーダンスの虚数部と前記第３のインピーダンス素子のインピーダンスの虚数部との極性が異なる請求項４０に記載の高周波回路。
【請求項４６】
前記信号の同相信号成分に関しては、前記第１のインピーダンス素子及び前記第３のインピーダンス素子と、前記第２のインピーダンス素子及び前記第３のインピーダンス素子とは、それぞれ所定の周波数において接地面に対して直列共振回路を形成する請求項４５に記載の高周波回路。
【手続補正２】
【補正対象書類名】明細書
【補正対象項目名】００１１
【補正方法】変更
【補正の内容】
【００１１】
【課題を解決するための手段】
上述した課題を解決するために、第１の本発明は、信号を入力する入力端子、信号を出力する出力端子、圧電基板、及び前記圧電基板上に形成された複数のインターディジタルトランスデューサ電極であるＩＤＴ電極を有する弾性表面波フィルタと、位相回路とを備え、前記入力端子及び前記出力端子の少なくともいずれかが平衡型入力端子または平衡型出力端子であり、前記少なくとも一つのＩＤＴ電極は前記平衡型入力端子間または前記平衡型出力端子間に前記位相回路が電気的に接続されており、前記位相回路は、前記信号の同相信号成分を低減する平衡型高周波デバイスである。


【手続補正３】
【補正対象書類名】明細書
【補正対象項目名】００１２
【補正方法】変更
【補正の内容】
【００１２】
また、第２の本発明は、前記弾性表面波フィルタは、少なくとも第１、第２、第３のＩＤＴ電極を弾性表面波の伝搬方向に沿って配置した縦モード型の弾性表面波フィルタであり、前記第１のＩＤＴ電極の両側に前記第２、第３のＩＤＴ電極が配置され、前記第１のＩＤＴ電極は平衡型であって、前記第１のＩＤＴ電極を構成する一方、および他方の電極指は、それぞれ前記平衡型入力端子にまたはそれぞれ前記平衡型出力端子に接続されている第１の本発明の平衡型高周波デバイスである。


【手続補正４】
【補正対象書類名】明細書
【補正対象項目名】００１３
【補正方法】変更
【補正の内容】
【００１３】
また、第３の本発明は、前記弾性表面波フィルタが、少なくとも第１、第２、第３のＩＤＴ電極を弾性表面波の伝搬方向に沿って配置した縦モード型の弾性表面波フィルタであり、前記第１のＩＤＴ電極の両側に前記第２、第３のＩＤＴ電極が配置され、前記第１のＩＤＴ電極は、複数の分割ＩＤＴ電極により構成され、前記分割ＩＤＴ電極の少なくとも２つは、それぞれ前記平衡型入力端子にまたはそれぞれ前記平衡型出力端子に接続されている第１の本発明の平衡型高周波デバイスである。


【手続補正５】
【補正対象書類名】明細書
【補正対象項目名】００１４
【補正方法】変更
【補正の内容】
【００１４】
また、第４の本発明は、前記弾性表面波フィルタが、少なくとも第１、第２、第３のＩＤＴ電極を弾性表面波の伝搬方向に沿って配置した縦モード型の弾性表面波フィルタであり、前記第１のＩＤＴ電極の両側に前記第２、第３のＩＤＴ電極が配置され、前記第２のＩＤＴ電極は平衡型入力端子の一方または平衡型出力端子の一方に接続されており、前記第３のＩＤＴ電極は前記平衡型入力端子の他方または前記平衡型出力端子の他方に接続されている第１の本発明に記載の平衡型高周波デバイスである。


【手続補正６】
【補正対象書類名】明細書
【補正対象項目名】００１５
【補正方法】変更
【補正の内容】
【００１５】
また、第５の本発明は、前記位相回路は所定の周波数において共振する共振回路である第１〜４の本発明のいずれかの平衡型高周波デバイスである。


【手続補正７】
【補正対象書類名】明細書
【補正対象項目名】００１６
【補正方法】変更
【補正の内容】
【００１６】
また、第６の本発明は、前記共振回路は、前記信号の同相信号成分に対して接地面に対して直列共振する直列共振回路である第５の本発明の平衡型高周波デバイスである。


【手続補正８】
【補正対象書類名】明細書
【補正対象項目名】００１７
【補正方法】変更
【補正の内容】
【００１７】
また、第７の本発明は、前記共振回路は、前記信号の差動信号成分に対して接地面に対して並列共振する並列共振回路である第５の本発明の平衡型高周波デバイスである。


【手続補正９】
【補正対象書類名】明細書
【補正対象項目名】００１８
【補正方法】変更
【補正の内容】
【００１８】
また、第８の本発明は、前記位相回路は、前記信号の差動信号成分に対する整合回路を含む第５〜７の本発明のいずれかの本発明の平衡型高周波デバイスである。


【手続補正１０】
【補正対象書類名】明細書
【補正対象項目名】００１９
【補正方法】変更
【補正の内容】
【００１９】
また、第９の本発明は、前記位相回路は、伝送線路により構成されている第５〜８の本発明のいずれかの平衡型高周波デバイスである。


【手続補正１１】
【補正対象書類名】明細書
【補正対象項目名】００２０
【補正方法】変更
【補正の内容】
【００２０】
また、第１０の本発明は、前記伝送線路の線路長は、λを波長、ｎを整数とした時に、（λ／４＋ｎλ）以上、（３λ／４＋ｎλ）以下である第９の本発明の平衡型高周波デバイスである。


【手続補正１２】
【補正対象書類名】明細書
【補正対象項目名】００２１
【補正方法】変更
【補正の内容】
【００２１】
また、第１１の本発明は、前記伝送線路の線路長は、λを波長、ｎを整数とした時に、（３λ／８＋ｎλ）以上、（５λ／８＋ｎλ）以下である第１０の本発明の平衡型高周波デバイスである。


【手続補正１３】
【補正対象書類名】明細書
【補正対象項目名】００２２
【補正方法】変更
【補正の内容】
【００２２】
また、第１２の本発明は、前記伝送線路の線路長は、実質上λ／２である第１１の本発明の平衡型高周波デバイスである。


【手続補正１４】
【補正対象書類名】明細書
【補正対象項目名】００２３
【補正方法】変更
【補正の内容】
【００２３】
また、第１３の本発明は、前記位相回路は、前記信号の同相信号成分に関しては、実質上、先端開放λ／４線路の直列共振回路として動作し、前記信号の差動信号成分に関しては、実質上、先端終端λ／４線路の並列共振回路として動作すること特徴とする第１２の本発明の平衡型高周波デバイスである。


【手続補正１５】
【補正対象書類名】明細書
【補正対象項目名】００２４
【補正方法】変更
【補正の内容】
【００２４】
また、第１４の本発明は、前記位相回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されている第５〜７の本発明のいずれかの平衡型高周波デバイスである。


【手続補正１６】
【補正対象書類名】明細書
【補正対象項目名】００２５
【補正方法】変更
【補正の内容】
【００２５】
また、第１５の本発明は、前記平衡型入力端子の一方または前記平衡型出力端子の一方と接地面との間に第１のインピーダンス素子が接続されており、前記平衡型入力端子の他方または前記平衡型出力端子の他方と接地面との間に第２のインピーダンス素子が接続されており、前記平衡型入力端子間または前記平衡型出力端子間に第３のインピーダンス素子が接続されており、前記第１、第２のインピーダンス素子のインピーダンスの虚数部と前記第３のインピーダンス素子のインピーダンスの虚数部との極性が異なる第１４の本発明の平衡型高周波デバイスである。


【手続補正１７】
【補正対象書類名】明細書
【補正対象項目名】００２６
【補正方法】変更
【補正の内容】
【００２６】
また、第１６の本発明は、前記信号の差動信号成分に関しては、前記第１のインピーダンス素子及び前記第３のインピーダンス素子と、前記第２のインピーダンス素子及び前記第３のインピーダンス素子とは、それぞれ所定の周波数において接地面に対して並列共振回路を形成することを特徴とする第１５の本発明の平衡型高周波デバイスである。


【手続補正１８】
【補正対象書類名】明細書
【補正対象項目名】００２７
【補正方法】変更
【補正の内容】
【００２７】
また、第１７の本発明は、前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下である第１５の本発明の平衡型高周波デバイスである。


【手続補正１９】
【補正対象書類名】明細書
【補正対象項目名】００２８
【補正方法】変更
【補正の内容】
【００２８】
また、第１８の本発明は、前記信号の同相信号成分の接地面に対するインピーダンスが、前記入力端子あるいは前記出力端子の特性インピーダンスの０．５倍以下である第１７の本発明の平衡型高周波デバイスである。


【手続補正２０】
【補正対象書類名】明細書
【補正対象項目名】００２９
【補正方法】変更
【補正の内容】
【００２９】
また、第１９の本発明は、平衡型入力端子間または平衡型出力端子間に第１のインピーダンス素子と第２のインピーダンス素子とが直列に接続されており、前記第１のインピーダンス素子と前記第２のインピーダンス素子との間は、第３のインピーダンス素子を介して接地される構成であって、前記第１、第２のインピーダンス素子のインピーダンスの虚数部と前記第３のインピーダンス素子のインピーダンスの虚数部との極性が異なる第１４の本発明の平衡型高周波デバイスである。


【手続補正２１】
【補正対象書類名】明細書
【補正対象項目名】００３０
【補正方法】変更
【補正の内容】
【００３０】
また、第２０の本発明は、前記信号の同相信号成分に関しては、前記第１のインピーダンス素子及び前記第３のインピーダンス素子と、前記第２のインピーダンス素子及び前記第３のインピーダンス素子とは、それぞれ所定の周波数において接地面に対して直列共振回路を形成する第１９の本発明の平衡型高周波デバイスである。


【手続補正２２】
【補正対象書類名】明細書
【補正対象項目名】００３１
【補正方法】変更
【補正の内容】
【００３１】
また、第２１の本発明は、前記位相回路の少なくとも一部が、電極パターンを複数の誘電体層上に形成して前記誘電体層を積層することにより形成される積層デバイスに含まれる構成である第１〜４の本発明のいずれかの平衡型高周波デバイスである。


【手続補正２３】
【補正対象書類名】明細書
【補正対象項目名】００３２
【補正方法】変更
【補正の内容】
【００３２】
また、第２２の本発明は、前記積層デバイスは少なくとも一つの回路機能を有し、前記平衡型高周波デバイスと前記積層デバイスとが複合化されている第２１の本発明の平衡型高周波デバイスである。


【手続補正２４】
【補正対象書類名】明細書
【補正対象項目名】００３３
【補正方法】変更
【補正の内容】
【００３３】
また、第２３の本発明は、送信フィルタおよび／または受信フィルタに第１〜７の本発明のいずれかの平衡型高周波デバイスを用いた平衡型高周波回路であ
る。


【手続補正２５】
【補正対象書類名】明細書
【補正対象項目名】００３４
【補正方法】変更
【補正の内容】
【００３４】
また、第２４の本発明は、前記回路基板に設けられた前記平衡型伝送線路間に第１〜７の本発明のいずれかの位相回路が接続されている平衡型高周波回路である。


【手続補正２６】
【補正対象書類名】明細書
【補正対象項目名】００３５
【補正方法】変更
【補正の内容】
【００３５】
また、第２５の本発明は、信号を入力する入力端子と、信号を出力する出力端子とを有する平衡型素子と、位相回路とを備え、前記入力端子及び前記出力端子の少なくともいずれかが平衡型入力端子または平衡型出力端子であり、前記平衡型入力端子間または前記平衡型出力端子間に前記位相回路が電気的に接続されており、前記位相回路は、前記信号の同相信号成分に対して所定の周波数に対して接地面に対して直列共振する直列共振回路、あるいは、前記信号の差動信号成分に対して所定の周波数に対して接地面に対して並列共振する並列共振回路であり、前記直列共振回路または前記並列共振回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されており、前記平衡型入力端子の一方または前記平衡型出力端子の一方と接地面との間に第１のインピーダンス素子が接続されており、前記平衡型入力端子の他方または前記平衡型出力端子の他方と接地面との間に第２のインピーダンス素子が接続されており、前記平衡型入力端子間または前記平衡型出力端子間に第３のインピーダンス素子が接続されており、前記第１、第２のインピーダンス素子のインピーダンスの虚数部と前記第３のインピーダンス素子のインピーダンスの虚数部との極性が異なり、前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下であり、前記信号の同相成分を低減する平衡型高周波デバイスである。


【手続補正２７】
【補正対象書類名】明細書
【補正対象項目名】００３６
【補正方法】変更
【補正の内容】
【００３６】
また、第２６の本発明は、前記信号の同相信号成分の接地面に対するインピーダンスが、前記入力端子あるいは前記出力端子の特性インピーダンスの０．５倍以下である第２５の本発明の平衡型高周波デバイスである。


【手続補正２８】
【補正対象書類名】明細書
【補正対象項目名】００３７
【補正方法】変更
【補正の内容】
【００３７】
また、第２７の本発明は、信号を入力する入力端子と、信号を出力する出力端子と、位相回路とを備え、前記入力端子及び前記出力端子の少なくともいずれかが平衡型入力端子または平衡型出力端子であり、前記位相回路は平衡型素子の前記平衡型入力端子間または前記平衡型出力端子間に電気的に接続され、前記位相回路は、前記信号の同相信号成分に対して所定の周波数に対して接地面に対して直列共振する直列共振回路、あるいは、前記信号の差動信号成分に対して所定の周波数に対して接地面に対して並列共振する並列共振回路であり、前記直列共振回路または前記並列共振回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されており、前記平衡型入力端子の一方または前記平衡型出力端子の一方と接地面との間に第１のインピーダンス素子が接続されており、前記平衡型入力端子の他方または前記平衡型出力端子の他方と接地面との間に第２のインピーダンス素子が接続されており、前記平衡型入力端子間または前記平衡型出力端子間に第３のインピーダンス素子が接続されており、前記第１、第２のインピーダンス素子のインピーダンスの虚数部と前記第３のインピーダンス素子のインピーダンスの虚数部との極性が異なり、前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下である位相回路である。


【手続補正２９】
【補正対象書類名】明細書
【補正対象項目名】００３８
【補正方法】変更
【補正の内容】
【００３８】
また、第２８の本発明は、前記信号の同相信号成分の接地面に対するインピーダンスが、前記入力端子あるいは前記出力端子の特性インピーダンスの０．５倍以下である第２７の本発明の位相回路である。


【手続補正３０】
【補正対象書類名】明細書
【補正対象項目名】００３９
【補正方法】変更
【補正の内容】
【００３９】
また、第２９の本発明は、送信フィルタまたは受信フィルタの少なくとも一つと、
スイッチまたは増幅器または共用器と、
位相回路とを備え、
前記送信フィルタまたは受信フィルタの入出力端子の少なくとも一方は平衡型端子であり、
前記送信フィルタまたは前記受信フィルタと、前記スイッチまたは前記増幅器または前記共用器は電気的に接続されており、前記平衡型端子間に前記位相回路が電気的に接続され、
前記位相回路は、送信信号または受信信号の同相信号成分を抑える高周波回路である。
【手続補正３１】
【補正対象書類名】明細書
【補正対象項目名】００４０
【補正方法】変更
【補正の内容】
【００４０】
また、第３０の本発明は、前記送信フィルタあるいは前記受信フィルタが、平衡不平衡変換機能を有している第２９の本発明の高周波回路である。


【手続補正３２】
【補正対象書類名】明細書
【補正対象項目名】００４１
【補正方法】変更
【補正の内容】
【００４１】
また、第３１の本発明は、前記位相回路は所定の周波数において共振する共振回路である第２９または第３０の本発明の高周波回路である。
また、第３２の本発明は、前記共振回路は、前記信号の同相信号成分に対して接地面に対して直列共振する直列共振回路である第３１の本発明の高周波回路である。
また、第３３の本発明は、前記共振回路は、前記信号の差動信号成分に対して接地面に対して並列共振する並列共振回路である第３１の本発明の高周波回路である。
また、第３４の本発明は、前記位相回路は、前記信号の差動信号成分に対する整合回路を含む第３１〜３３の本発明のいずれかの高周波回路である。
また、第３５の本発明は、前記位相回路は、伝送線路により構成されている第３１〜３３の本発明のいずれかの高周波回路である。
また、第３６の本発明は、前記伝送線路の線路長は、λを波長、ｎを整数とした時に、（λ／４＋ｎλ）以上、（３λ／４＋ｎλ）以下である第３５の本発明の高周波回路である。
また、第３７の本発明は、前記伝送線路の線路長は、λを波長、ｎを整数とした時に、（３λ／８＋ｎλ）以上、（５λ／８＋ｎλ）以下である第３６の本発明の高周波回路である。
また、第３８の本発明は、前記伝送線路の線路長は、実質上λ／２である第３７の本発明の高周波回路である。
また、第３９の本発明は、前記位相回路は、前記信号の同相信号成分に関しては、実質上、先端開放λ／４線路の直列共振回路として動作し、前記信号の差動信号成分に関しては、実質上、先端終端λ／４線路の並列共振回路として動作すること特徴とする第３８の本発明の高周波回路である。
また、第４０の本発明は、前記位相回路は、少なくとも３つのインピーダンス素子により構成されており、前記平衡型入力端子または前記平衡型出力端子の接地面とのインピーダンスに関して、前記信号の同相信号成分の接地面に対するインピーダンスが、前記信号の差動信号成分の接地面に対するインピーダンスよりも低く設定されている第３１〜３３の本発明のいずれかの高周波回路である。
また、第４１の本発明は、前記平衡型入力端子の一方または前記平衡型出力端子の一方と接地面との間に第１のインピーダンス素子が接続されており、前記平衡型入力端子の他方または前記平衡型出力端子の他方と接地面との間に第２のインピーダンス素子が接続されており、前記平衡型入力端子間または前記平衡型出力端子間に第３のインピーダンス素子が接続されており、前記第１、第２のインピーダンス素子のインピーダンスの虚数部と前記第３のインピーダンス素子のインピーダンスの虚数部との極性が異なる第４０の本発明の高周波回路である。
また、第４２の本発明は、前記信号の差動信号成分に関しては、前記第１のインピーダンス素子及び前記第３のインピーダンス素子と、前記第２のインピーダンス素子及び前記第３のインピーダンス素子とは、それぞれ所定の周波数において接地面に対して並列共振回路を形成することを特徴とする第４１の本発明の高周波回路である。
また、第４３の本発明は、前記信号の同相信号成分に関しては、前記平衡型入力端子の一方または前記平衡型出力端子の一方と接地面とのインピーダンス、及び前記平衡型入力端子の他方または前記平衡型出力端子の他方と接地面とのインピーダンスは、前記入力端子あるいは前記出力端子の特性インピーダンスの２倍以下である第４１の本発明の高周波回路である。
また、第４４の本発明は、前記信号の同相信号成分の接地面に対するインピーダンスが、前記入力端子あるいは前記出力端子の特性インピーダンスの０．５倍以下である第４３の本発明の高周波回路である。
また、第４５の本発明は、平衡型入力端子間または平衡型出力端子間に第１のインピーダンス素子と第２のインピーダンス素子とが直列に接続されており、
前記第１のインピーダンス素子と前記第２のインピーダンス素子との間は、第３のインピーダンス素子を介して接地される構成であって、前記第１、第２のインピーダンス素子のインピーダンスの虚数部と前記第３のインピーダンス素子のインピーダンスの虚数部との極性が異なる第４０の本発明の高周波回路である。
また、第４６の本発明は、前記信号の同相信号成分に関しては、前記第１のインピーダンス素子及び前記第３のインピーダンス素子と、前記第２のインピーダンス素子及び前記第３のインピーダンス素子とは、それぞれ所定の周波数において接地面に対して直列共振回路を形成する第４５の本発明の高周波回路である。